(57)【要約】      （修正有）【課題】電球型ＬＥＤ照明器具の光源部に取り付けることにより、室内を広範囲に照らすことのできる反射鏡を提供する。【解決手段】電球型ＬＥＤ照明器具１は、口金１１、筒状基体１２、光源基板１３、反射鏡１４、拡散カバー１５、ＬＥＤ１６から構成されている。反射鏡１４は光源基板１３に設けられた嵌合用ツメ固定穴を介して取り付ける。光源基板１３の上表面に設けられた光源部は、同心円状に配置されたＬＥＤと反射鏡を嵌合させるための嵌合用ツメ固定穴から構成する。上記反射鏡１４は、反射鏡下部に設けられた嵌合用ツメと嵌合用ツメ固定穴により固定される。このように、反射鏡をＬＥＤ照明器具と一体としないで、反射鏡が脱着できることにより、ＬＥＤ照明器具を設置する場所ごとに照射範囲を自由に調整することができる。【選択図】図１
0003169310.tif 000002
【実用新案登録請求の範囲】
【請求項１】
基板上に複数のＬＥＤ光源を配置した光源部を有する電球型ＬＥＤ照明の前記基板上に取り付け可能な反射鏡であって、前記反射鏡は外周側面に反射面を備え、前記外周側面の形状が円錐側面であることを特徴とするＬＥＤ照明光源部に取り付け可能な反射鏡。
【請求項２】
基板上に複数のＬＥＤ光源を配置した光源部を有する電球型ＬＥＤ照明の前記基板上に取り付け可能な反射鏡であって、前記反射鏡は外周側面に反射面を備え、前記外周側面の形状が彎曲した周曲面であることを特徴とするＬＥＤ照明光源部に取り付け可能な反射鏡。
【請求項３】
前記反射鏡の外周側面に備わる反射面が銀反射層を内部に有する多層フィルムにより形成されたものであることを特徴とする請求項１または２に記載したＬＥＤ照明光源部に取り付け可能な反射鏡。
【請求項４】
請求項１から３に記載した反射鏡を光源部に取り付けた電球型ＬＥＤ照明器具。
【考案の詳細な説明】
【技術分野】
【０００１】
本考案は、発光ダイオード（以下、「ＬＥＤ」という。）を照明用光源とする電球型ＬＥＤ照明器具に用いる反射鏡及びそれを用いた反射鏡付き電球型ＬＥＤ照明器具に関する。具体的には、ＬＥＤ照明の指向性を改善して、従来の白色電球のように室内を広範囲に照らすことのできる電球型ＬＥＤ照明器具に用いる反射鏡及びそれを用いた反射鏡付き電球型ＬＥＤ照明器具に関する。
【背景技術】
【０００２】
近年ＬＥＤを照明用光源とする照明器具の開発が行われており、地球温暖化対策の観点からより消費電力の少ない電球型ＬＥＤ照明器具を白色電球に代替することが提案されている。白色電球は前方のみならず側方や後方まで、口金で影となる領域を除き、ほぼ全方位に光を取り出すことができる。一方、ＬＥＤを光源とした電球型ＬＥＤ照明器具は、発光部からの出射される光の指向性が強いためその照射角が制限され、従来の白色電球照明のように広範囲に照らすことができない。拡散カバーを使用した場合でも、最大で210度と狭い。このため、指向性を改善したＬＥＤ照明器具が提案されている（特許文献１〜３）。特許文献１は、発光モジュールを載せる第１基台に逆錐台状の第２基台を設け、第２基台の側面を反射鏡として出射光の指向性を改善する提案である。特許文献２は、発光モジュールを載せる基台の中央部に光出射方向に突出した突出部を有する反射体を備え、これにより出射光の指向性を改善する提案である。特許文献３は、ＬＥＤ光源部をテーパー状にして出射光の指向性を改善する提案である。
【先行技術文献】
【特許文献】
【０００３】
【特許文献１】特開２０１０−８６９４６号公報
【特許文献２】特開２０１０−２１８９５９号公報
【特許文献３】特開２０１１−４４３５６号公報
【考案の概要】
【考案が解決しようとする課題】
【０００４】
上述した電球型ＬＥＤ照明の指向性を改善する方法は、いずれも照明器具そのものの構造を変更して新たに創りだすものであり、既存構造のＬＥＤ照明器具の指向性を改善するものでなく、装置コストが高くなるという問題がある。
【０００５】
本考案は、上記課題を解決し、取り付けが簡単で、従来の白色電球のように室内を広範囲に照らすことのできる電球型ＬＥＤ照明器具に用いる反射鏡及びそれを取り付けた電球型ＬＥＤ照明器具を提供することを目的とする。
【課題を解決するための手段】
【０００６】
本考案は、以下の考案特定事項により達成できる。
【０００７】
＜１＞基板上に複数のＬＥＤ光源を配置した光源部を有する電球型ＬＥＤ照明の前記基板上に取り付け可能な周面を有する環状の反射鏡であって、前記反射鏡は外周側面に反射面を備え、前記外周側面の形状が円錐側面であることを特徴とするＬＥＤ照明光源部に取り付け可能な反射鏡である。逆円錐台状の反射鏡を既存構造のＬＥＤ照明器具の出射光の指向性を簡単に改善できるからである。
【０００８】
＜２＞基板上に複数のＬＥＤ光源を配置した光源部を有する電球型ＬＥＤ照明の前記基板上に取り付け可能な周面を有する環状の反射鏡であって、前記反射鏡は外周側面に反射面を備え、前記外周側面の形状が彎曲した周曲面であることを特徴とするＬＥＤ照明光源部に取り付け可能な反射鏡である。外周側面の形状を彎曲した周曲面とすることで、フラットな円錐側面に比べて出射光の指向性をさらに改善できるからである。
【０００９】
＜３＞前記反射鏡の外周側面に備わる反射面が銀反射層を内部に有する多層フィルムにより形成されたものであることを特徴とする前記＜１＞または＜２＞に記載したＬＥＤ照明光源部に取り付け可能な反射鏡である。反射面を可撓性があり着脱可能なフィルムとすることで取付が容易となるからである。
【００１０】
＜４＞前記＜１＞乃至＜３＞に記載した反射鏡を光源部に取り付けた電球型ＬＥＤ照明器具である。電球型ＬＥＤ照明器具に本考案の反射鏡を取り付けることで本考案を実現できるからである。
【考案の効果】
【００１１】
本考案の反射鏡を電球型ＬＥＤ照明器具の光源部に取り付けることにより、従来の白色電球のように室内を広範囲に照らすことのできる電球型ＬＥＤ照明器具を提供できる。
【図面の簡単な説明】
【００１２】
【図１】本考案の反射鏡をＬＥＤ光源部に取り付けた電球型ＬＥＤ照明器具の説明図である。
【図２】本考案の反射鏡を取り付けるＬＥＤ光源部のＬＥＤの配列一例を示した説明図である。
【図３】本考案の反射鏡の一例を示す平面図である。
【図４Ａ】本考案の反射鏡の一例を示す側面図である。
【図４Ｂ】図４Ａに示す反射鏡におけるＬＥＤ出射光の反射状態を示した説明図である。
【図５Ａ】本考案の反射鏡の一例を示す側面図である。
【図５Ｂ】図５Ａに示す反射鏡におけるＬＥＤ出射光の反射状態を示した説明図である。
【考案を実施するための形態】
【００１３】
以下、図面を参照しながら、本考案の実施の態様である電球型ＬＥＤ照明の前記基板上に取り付け可能な周面を有する環状の反射鏡について説明する。
【００１４】
図１は、本考案の反射鏡をＬＥＤ光源部に取り付けた電球型ＬＥＤ照明器具の説明図であり、図２は、本考案の反射鏡を取り付けるＬＥＤ光源部のＬＥＤの配列一例を示した説明図である。
【００１５】
図１に示すように、電球型ＬＥＤ照明器具１は、口金１１、筒状基体１２、光源基板１３、反射鏡１４、拡散カバー１５、ＬＥＤ１６から構成されている。反射鏡１４は光源基板１３に設けられた嵌合用ツメ固定穴（図２）を介して取り付ける。
【００１６】
図２に示すように、光源基板１３の上表面に設けられた光源部２は、同心円状に配置されたＬＥＤ２１と本考案の反射鏡を嵌合させるための嵌合用ツメ固定穴２２から構成されている。本考案の反射鏡は、反射鏡下部に設けられた嵌合用ツメ（図３）と嵌合用ツメ固定穴２２により固定される。このように、反射鏡をＬＥＤ照明器具と一体としないで、反射鏡が脱着できることにより、ＬＥＤ照明器具を設置する場所ごとに照射範囲を自由に調整することができる。
【００１７】
図３に示すように、本考案の反射鏡の形状は、周面３１を有する環状である。上下の開放面は、上部開放面が下部開放面に比べて広い。また、下部開放面周縁３２には嵌合用ツメ３３が設けられている。なお、反射面は外周側面に設けられている。この形状により、下部開放面内に含まれるＬＥＤからは正面前方に光が出射され、下部開放面外に含まれるＬＥＤから出射された光は反射面の形状に則して反射されて側面または後方面に出射される。これにより、従来の白色電球のように室内を広範囲に照らすことができる。
【００１８】
図４Ａは、反射鏡の外周側面４１が円錐側面である場合の本発明の反射鏡を示す側面図であり、図４Ｂは、その場合のＬＥＤ出射光の反射状態を模式的に示したものである。また、図５Ａは、反射鏡の外周側面５１が彎曲した周曲面である場合の本発明の反射鏡を示す側面図であり、図５Ｂは、その場合のＬＥＤ出射光の反射状態を模式的に示したものである。彎曲した周曲面の方が反射光は広がる。なお、本考案の外周側面の形状は、図４Ａ、図４Ｂに限定されるものでなく、例えばエンボス加工された形状であってもよい。
【００１９】
本考案の外周側面に備わる反射面は、金属薄膜をメッキ処理、真空蒸着、スパッタリングに外表面に形成したものが一般的である。しかしながら、銀反射層を内部に有する多層フィルムにより形成されたものがより好ましい。ここで、銀反射層を内部に有する多層フィルムとは、可撓性プラスチック基材に銀反射層を銀蒸着または銀コロイド分散液を塗布乾燥して形成し、保護層を積層したものである。可撓性プラスチック基材からなる反射面であるため、ＬＥＤ照明光源の形状に合わせた反射鏡形状に柔軟に対応できるからである。
【産業上の利用可能性】
【００２０】
この考案は、環境に優しく省エネである電球型ＬＥＤ照明器具に利用できる。
【符号の説明】
【００２１】
１    電球型ＬＥＤ照明器具
１１  口金
１２  筒状基体
１３  光源基板
１４  反射鏡
１５  拡散カバー
１６  発光ダイオード（ＬＥＤ）
２    光源部
２１  配置された発光ダイオード（ＬＥＤ）
２２  反射鏡嵌合用ツメ固定穴
３    反射鏡（正面図）
３１  反射鏡周面
３２  下部開放面周縁
３３  嵌合用ツメ
４    反射鏡（正面図）
４１  嵌合用ツメ
４２  反射鏡外周側面
４３  光源基板
４４  発光ダイオード（ＬＥＤ）
５    反射鏡（正面図）
５１  嵌合用ツメ
５２  反射鏡外周側面
５３  光源基板
５４  発光ダイオード（ＬＥＤ）
【図１】
0003169310.tif 000003
【図２】
0003169310.tif 000004
【図３】
0003169310.tif 000005
【図４Ａ】
0003169310.tif 000006
【図４Ｂ】
0003169310.tif 000007
【図５Ａ】
0003169310.tif 000008
【図５Ｂ】
0003169310.tif 000009
【手続補正書】
【提出日】平成23年5月25日(2011.5.25)
【手続補正１】
【補正対象書類名】実用新案登録請求の範囲
【補正対象項目名】請求項１
【補正方法】変更
【補正の内容】
【請求項１】
基板上に複数のＬＥＤ光源を配置した光源部を有する電球型ＬＥＤ照明の前記基板上に取り付け可能な反射鏡であって、前記反射鏡は外周側面の形状が円錐側面であって、前記外周側面に反射面を備えることを特徴とするＬＥＤ照明光源部に取り付け可能な反射鏡。
【手続補正２】
【補正対象書類名】実用新案登録請求の範囲
【補正対象項目名】請求項２
【補正方法】変更
【補正の内容】
【請求項２】
基板上に複数のＬＥＤ光源を配置した光源部を有する電球型ＬＥＤ照明の前記基板上に取り付け可能な反射鏡であって、前記反射鏡は外周側面の形状が彎曲した周曲面であって、前記外周側面に反射面を備えることを特徴とするＬＥＤ照明光源部に取り付け可能な反射鏡。